(57)【要約】  アンテナモジュール（１）は、法線方向が交叉し、連続する第１平板部（１００ａ）および第２平板部（１００ｂ）を有する基板（１００）と、第１平板部（１００ａ）に形成された第１パッチアンテナ（１０ａ〜１０ｄ）と、第２平板部（１００ｂ）に形成された第２パッチアンテナ（２０ａ〜２０ｄ）とを備え、第１パッチアンテナ（１０ａ〜１０ｄ）は、第１平板部（１００ａ）および第２平板部（１００ｂ）の境界線（Ｂ）に沿う列方向に少なくとも１列配置され、第２パッチアンテナ（２０ａ〜２０ｄ）は、上記列方向に少なくとも１列配置され、境界線（Ｂ）から最も離れた１列に配置された第２パッチアンテナ（２０ａ〜２０ｄ）、上記列方向に垂直かつ第２平板部（１００ｂ）の主面に平行な第２方向の大きさは、第１パッチアンテナ（１０ａ〜１０ｄ）の、上記列方向に垂直かつ第１平板部（１００ａ）の主面に平行な第１方向の大きさより小さい。
2018230475.tif 000002
【特許請求の範囲】
【請求項１】
法線方向が交叉し、連続する第１平板部および第２平板部を有する基板と、
前記第１平板部に形成された１以上の第１パッチアンテナと、
前記第２平板部に形成された１以上の第２パッチアンテナと、を備え、
前記１以上の第１パッチアンテナは、前記第１平板部および前記第２平板部の境界線に沿う方向である列方向に少なくとも１列配置され、
前記１以上の第２パッチアンテナは、前記列方向に少なくとも１列配置され、
前記１以上の第２パッチアンテナのうち、前記境界線から最も離れた１列に配置された第２パッチアンテナの、前記列方向に垂直かつ前記第２平板部の主面に平行な第２方向の大きさは、前記第１パッチアンテナの、前記列方向に垂直かつ前記第１平板部の主面に平行な第１方向の大きさより小さい、
アンテナモジュール。
【請求項２】
前記境界線から最も離れた１列に配置された第２パッチアンテナは、片側短絡型マイクロストリップアンテナである、
請求項１に記載のアンテナモジュール。
【請求項３】
前記境界線から最も離れた１列に配置された第２パッチアンテナは、
高周波信号を放射または受信する放射電極と、
前記第２平板部または前記第２平板部上に形成されたグランド電極と、
前記放射電極の一端に位置する短絡点と前記グランド電極とを接続するグランドビア導体と、
給電点と前記第２平板部または前記第２平板部上に形成された伝送線路とを接続し、前記放射電極に高周波信号を給電する給電ビア導体と、を備える、
請求項２に記載のアンテナモジュール。
【請求項４】
前記境界線から最も離れた１列に配置された第２パッチアンテナは、
前記放射電極と前記グランド電極との間に形成された誘電体層を備え、
前記グランドビア導体の近傍領域における前記放射電極と前記グランド電極との距離は、前記給電ビア導体の近傍領域における前記放射電極と前記グランド電極との距離よりも大きい、
請求項３に記載のアンテナモジュール。
【請求項５】
前記第１平板部は、互いに背向する第１主面および第２主面を有し、
前記第２平板部は、互いに背向する第３主面および第４主面を有し、
前記第１主面と前記第３主面とは連続しており、前記第２主面と前記第４主面とは連続しており、
前記１以上の第１パッチアンテナは、前記第１主面および前記第２主面のうち前記第１主面側に配置され、
前記１以上の第２パッチアンテナは、前記第３主面および前記第４主面のうち前記第３主面側に配置され、
前記アンテナモジュールは、さらに、
前記１以上の第１パッチアンテナと前記１以上の第２パッチアンテナとの間に配置された１以上のノッチアンテナまたは１以上のダイポールアンテナを備え、
前記１以上の第１パッチアンテナは、第１偏波、および当該第１偏波と異なる第２偏波を形成し、
前記１以上の第２パッチアンテナは、第３偏波を形成し、
前記１以上のノッチアンテナまたは１以上のダイポールアンテナは、該第３偏波と異なる第４偏波を形成し、
前記第１偏波および前記第２偏波は、前記第１平板部の鉛直方向に指向性を有し、
前記第３偏波および前記第４偏波は、前記第２平板部の鉛直方向に指向性を有している、
請求項２〜４のいずれか１項に記載のアンテナモジュール。
【請求項６】
前記１以上のノッチアンテナまたは１以上のダイポールアンテナは、前記第１主面に配置されている、
請求項５に記載のアンテナモジュール。
【請求項７】
前記第１平板部は、互いに背向する第１主面および第２主面を有し、
前記第２平板部は、互いに背向する第３主面および第４主面を有し、
前記第１主面と前記第３主面とは連続しており、前記第２主面と前記第４主面とは連続しており、
前記１以上の第１パッチアンテナは、前記第１主面および前記第２主面のうち前記第１主面側に配置され、
前記１以上の第２パッチアンテナは、前記第３主面および前記第４主面のうち前記第３主面側に配置され、
前記アンテナモジュールは、さらに、
前記１以上の第１パッチアンテナと前記１以上の第２パッチアンテナとの間の前記第１平板部に形成された１以上の片側短絡型マイクロストリップアンテナを備え、
前記１以上の第１パッチアンテナは、第１偏波、および当該第１偏波と異なる第２偏波を形成し、
前記１以上の第２パッチアンテナは、第３偏波、および当該第３偏波と異なる第４偏波を形成し、
前記第１偏波および前記第２偏波は、前記第１平板部の鉛直方向に指向性を有し、
前記第３偏波および前記第４偏波は、前記第２平板部の鉛直方向に指向性を有している、
請求項１に記載のアンテナモジュール。
【請求項８】
前記第１偏波の偏波方向と前記第２偏波の偏波方向とのなす角度は、略９０°である、
請求項５〜７のいずれか１項に記載のアンテナモジュール。
【請求項９】
前記第３偏波の偏波方向と前記第４偏波の偏波方向とのなす角度は、略９０°である、
請求項５〜８のいずれか１項に記載のアンテナモジュール。
【請求項１０】
さらに、
前記１以上の第１パッチアンテナが形成された前記第１平板部の面と反対側の面に配置され、ベースバンド信号処理回路から入力された信号をアップコンバートして前記１以上の第１パッチアンテナおよび前記１以上の第２パッチアンテナに出力する送信系の信号処理、ならびに、前記１以上の第１パッチアンテナおよび前記１以上の第２パッチアンテナから入力された高周波信号をダウンコンバートして前記ベースバンド信号処理回路に出力する受信系の信号処理、の少なくとも一方を行う高周波信号処理回路を備える、
請求項１〜９のいずれか１項に記載のアンテナモジュール。
【請求項１１】
請求項１０に記載のアンテナモジュールと、
前記ベースバンド信号処理回路と、
前記ベースバンド信号処理回路および前記高周波信号処理回路が実装された実装基板と、を備え、
前記第１平板部の主面は、前記実装基板の主面と対向するように配置され、
前記第２平板部の主面は、前記実装基板の端部側面と対向するように配置される、
通信装置。
【発明の詳細な説明】
【技術分野】
【０００１】
本発明は、アンテナモジュールおよび通信装置に関する。
【背景技術】
【０００２】
無線通信用のアレイアンテナとして、異なる２平面のそれぞれに、複数のパッチアンテナが配置された３Ｄアンテナシステムの構成が開示されている（例えば、特許文献１参照）。本構成によれば、複数の指向性を有することができるので、アンテナ放射および受信のカバレージを改善できる。
【先行技術文献】
【特許文献】
【０００３】
【特許文献１】特表２０１４−５２９９７１号公報
【発明の概要】
【発明が解決しようとする課題】
【０００４】
しかしながら、特許文献１に開示された３Ｄアンテナシステムでは、異なる２平面のそれぞれに配置されるアンテナの形態は、種々のアンテナ性能により選択される。このため、アンテナ特性を優先してアンテナの形態を選択すると、上記３Ｄアンテナシステムが通信装置の側面に実装される場合、アンテナサイズにより通信装置の薄型化が制約されるという問題がある。例えば、薄型が要求される携帯電話などの通信装置において、アンテナ放射および受信のカバレージなどのアンテナ特性を改善すべく、通信装置の実装基板（または筐体）の主面に一方の平面を配置し、当該実装基板（または筐体）の端部側面に他方の平面を配置した場合、当該他方の平面のサイズにより、通信装置の薄型化が制約される。【０００５】
本発明は、上記課題を解決するためになされたものであり、アンテナ特性を改善しつつ当該アンテナモジュールが配置される通信装置の薄型化が可能なアンテナモジュールおよび通信装置を提供することを目的とする。
【課題を解決するための手段】
【０００６】
上記目的を達成するために、本発明の一態様に係るアンテナモジュールは、法線方向が交叉し、連続する第１平板部および第２平板部を有する基板と、前記第１平板部に形成された１以上の第１パッチアンテナと、前記第２平板部に形成された１以上の第２パッチアンテナと、を備え、前記１以上の第１パッチアンテナは、前記第１平板部および前記第２平板部の境界線に沿う方向である列方向に少なくとも１列配置され、前記１以上の第２パッチアンテナは、前記列方向に少なくとも１列配置され、前記１以上の第２パッチアンテナのうち、前記境界線から最も離れた１列に配置された第２パッチアンテナの、前記列方向に垂直かつ前記第２平板部の主面に平行な第２方向の大きさは、前記第１パッチアンテナの、前記列方向に垂直かつ前記第１平板部の主面に平行な第１方向の大きさより小さい。【０００７】
上記構成によれば、第２平板部の最外列に配置された第２パッチアンテナの第２方向の大きさが、第１パッチアンテナの第１方向の大きさより小さいため、全てのパッチアンテナが第１パッチアンテナで構成されたアンテナモジュールと比較して、第２平板部の（境界線と垂直方向との）幅を縮小できる。これにより、薄型化が要求される通信装置の筐体の主面に第１平板部を平行配置し、当該筐体の側面に第２平板部を平行配置することが可能となる。また、第１平板部と第２平板部とが同一平面上に配置されていないので、複数の指向性を有するアンテナ特性を実現できる。よって、アンテナ特性を改善しつつ当該アンテナモジュールが配置される通信装置の薄型化に貢献することが可能となる。【０００８】
また、前記境界線から最も離れた１列に配置された第２パッチアンテナは、片側短絡型マイクロストリップアンテナであってもよい。【０００９】
これによれば、第２平板部の最外列に配置された第２パッチアンテナは、片側短絡型マイクロストリップアンテナを構成している。このため、全てのパッチアンテナが通常のパッチアンテナで構成されたアンテナモジュールと比較して、第２平板部の（境界線と垂直方向との）幅を縮小できる。これにより、薄型化が要求される通信装置の筐体の主面に第１平板部を平行配置し、当該筐体の側面に第２平板部を平行配置することが可能となる。また、第１平板部と第２平板部とが同一平面上に配置されていないので、複数の指向性を有するアンテナ特性を実現できる。よって、アンテナ特性を改善しつつ当該アンテナモジュールが配置される通信装置の薄型化に貢献することが可能となる。【００１０】
また、前記境界線から最も離れた１列に配置された第２パッチアンテナは、高周波信号を放射または受信する放射電極と、前記第２平板部または前記第２平板部上に形成されたグランド電極と、前記放射電極の一端に位置する短絡点と前記グランド電極とを接続するグランドビア導体と、給電点と前記第２平板部または前記第２平板部上に形成された伝送線路とを接続し、前記放射電極に高周波信号を給電する給電ビア導体と、を備えてもよい。【００１１】
これにより、第２平板部の最外列に配置された第２パッチアンテナを、いわゆる逆Ｆ型のパッチアンテナとすることができる。【００１２】
また、前記境界線から最も離れた１列に配置された第２パッチアンテナは、前記放射電極と前記グランド電極との間に形成された誘電体層を備え、前記グランドビア導体の近傍領域における前記放射電極と前記グランド電極との距離は、前記給電ビア導体の近傍領域における前記放射電極と前記グランド電極との距離よりも大きくてもよい。【００１３】
上記構成によれば、給電ビア導体よりも境界線から遠いグランドビア導体近傍には放射電極と接続される伝送線路が不要である。このため、グランドビア導体近傍では、グランド層のうち、上記伝送線路を囲むためのグランド層を削除できる。これにより、グランドビア導体の近傍領域における放射電極とグランド電極との距離は、給電ビア導体の近傍領域における放射電極とグランド電極との距離よりも大きくすることが可能となる。言い換えると、グランドビア導体の近傍領域における誘電体層の厚さを、給電ビア導体の近傍領域における誘電体層の厚さよりも厚くできる。よって、片側短絡型マイクロストリップアンテナの帯域幅を拡げることが可能となる。【００１４】
また、前記第１平板部は、互いに背向する第１主面および第２主面を有し、前記第２平板部は、互いに背向する第３主面および第４主面を有し、前記第１主面と前記第３主面とは連続しており、前記第２主面と前記第４主面とは連続しており、前記１以上の第１パッチアンテナは、前記第１主面および前記第２主面のうち前記第１主面側に配置され、前記１以上の第２パッチアンテナは、前記第３主面および前記第４主面のうち前記第３主面側に配置され、前記アンテナモジュールは、さらに、前記１以上の第１パッチアンテナと前記１以上の第２パッチアンテナとの間に配置された１以上のノッチアンテナまたは１以上のダイポールアンテナを備え、前記１以上の第１パッチアンテナは、第１偏波、および当該第１偏波と異なる第２偏波を形成し、前記１以上の第２パッチアンテナは、第３偏波を形成し、前記１以上のノッチアンテナまたは１以上のダイポールアンテナは、該第３偏波と異なる第４偏波を形成し、前記第１偏波および前記第２偏波は、前記第１平板部の鉛直方向に指向性を有し、前記第３偏波および前記第４偏波は、前記第２平板部の鉛直方向に指向性を有していてもよい。【００１５】
パッチアンテナのうち、片側短絡型マイクロストリップアンテナは、１方向の偏波形成に限定される。一方、片側短絡型でない通常のパッチアンテナの場合、１つの放射電極に複数の給電点を設けるなどすることにより、２種類の偏波形成が可能となる。【００１６】
上記構成によれば、ノッチアンテナまたはダイポールアンテナが第２パッチアンテナの近傍に配置されるので、第２パッチアンテナの放射方向において、第２パッチアンテナにより形成される第１偏波だけでなく、ノッチアンテナまたはダイポールアンテナにより第１偏波と異なる第２偏波を形成できる。よって、第１パッチアンテナの放射方向、および、第２パッチアンテナの放射方向の双方において、いわゆる、デュアル偏波型のアンテナモジュールを構成できる。【００１７】
また、前記１以上のノッチアンテナまたは１以上のダイポールアンテナは、前記第１主面に配置されていてもよい。【００１８】
これによれば、１以上のノッチアンテナまたは１以上のダイポールアンテナは、第２パッチアンテナの近傍であるが、第１平板部に配置されるので、１以上のノッチアンテナまたは１以上のダイポールアンテナが配置されたことにより第２平板部の幅は大きくならない。よって、デュアル偏波型のアンテナモジュールを構成しつつ、当該アンテナモジュールが配置される通信装置の薄型化に貢献することが可能となる。【００１９】
また、前記第１平板部は、互いに背向する第１主面および第２主面を有し、前記第２平板部は、互いに背向する第３主面および第４主面を有し、前記第１主面と前記第３主面とは連続しており、前記第２主面と前記第４主面とは連続しており、前記１以上の第１パッチアンテナは、前記第１主面および前記第２主面のうち前記第１主面側に配置され、前記１以上の第２パッチアンテナは、前記第３主面および前記第４主面のうち前記第３主面側に配置され、前記アンテナモジュールは、さらに、前記１以上の第１パッチアンテナと前記１以上の第２パッチアンテナとの間の前記第１平板部に形成された１以上の片側短絡型マイクロストリップアンテナを備え、前記１以上の第１パッチアンテナは、第１偏波、および当該第１偏波と異なる第２偏波を形成し、前記１以上の第２パッチアンテナは、第３偏波、および当該第３偏波と異なる第４偏波を形成し、前記第１偏波および前記第２偏波は、前記第１平板部の鉛直方向に指向性を有し、前記第３偏波および前記第４偏波は、前記第２平板部の鉛直方向に指向性を有していてもよい。【００２０】
上記構成によれば、第１パッチアンテナが、第１平板部の鉛直方向に指向性を有する第１偏波および第２偏波を形成し、第２パッチアンテナが、第２平板部の鉛直方向に指向性を有する第３偏波および第４偏波を形成するので、第１パッチアンテナの放射方向、および、第２パッチアンテナの放射方向の双方において、いわゆる、デュアル偏波型のアンテナモジュールを構成できる。【００２１】
また、前記第１偏波の偏波方向と前記第２偏波の偏波方向とのなす角度は、略９０°であってもよい。【００２２】
これにより、第１パッチアンテナが形成する２偏波のアイソレーションを最適化できる。【００２３】
また、前記第３偏波の偏波方向と前記第４偏波の偏波方向とのなす角度は、略９０°であってもよい。【００２４】
これにより、第２パッチアンテナの片側短絡型マイクロストリップアンテナと、１以上のノッチアンテナまたは１以上のダイポールアンテナとのアイソレーションを最適化できる。【００２５】
また、さらに、前記１以上の第１パッチアンテナが形成された前記第１平板部の面と反対側の面に配置され、ベースバンド信号処理回路から入力された信号をアップコンバートして前記１以上の第１パッチアンテナおよび前記１以上の第２パッチアンテナに出力する送信系の信号処理、ならびに、前記１以上の第１パッチアンテナおよび前記１以上の第２パッチアンテナから入力された高周波信号をダウンコンバートして前記ベースバンド信号処理回路に出力する受信系の信号処理、の少なくとも一方を行う高周波信号処理回路を備えてもよい。【００２６】
これによれば、第１平板部を挟んで第１パッチアンテナと高周波信号処理回路とを配置することが可能となる。よって、高周波信号処理回路と第１パッチアンテナとを接続する伝送線路を短縮化できる。また、この場合、第２平板部を挟んで第２パッチアンテナと高周波信号処理回路とを配置することが可能となる。よって、高周波信号処理回路と第２パッチアンテナとを接続する伝送線路を短縮化できる。よって、高周波信号の伝搬損失を低減できる。【００２７】
また、本発明の一態様に係る通信装置は、上記記載のアンテナモジュールと、前記ベースバンド信号処理回路と、前記ベースバンド信号処理回路および前記高周波信号処理回路が実装された実装基板と、を備え、前記第１平板部の主面は、前記実装基板の主面と対向するように配置され、前記第２平板部の主面は、前記実装基板の端部側面と対向するように配置される。【００２８】
上記構成によれば、第２平板部の幅が縮小されたアンテナモジュールにおいて、通信装置の実装基板（または筐体）の端部側面に第２平板部が平行配置される。よって、アンテナ特性を改善しつつ、通信装置を薄型化することが可能となる。
【発明の効果】
【００２９】
本発明に係るアンテナモジュールおよび通信装置によれば、アンテナ特性を改善しつつ当該アンテナモジュールが配置される通信装置の薄型化が可能となる。
【図面の簡単な説明】
【００３０】
【図１】図１は、実施の形態１に係るアンテナモジュールの外観斜視図である。
【図２】図２は、実施の形態１に係るアンテナモジュールの形状を表す三面図である。
【図３Ａ】図３Ａは、ノーマル（フル）パッチアンテナの断面構造図である。
【図３Ｂ】図３Ｂは、片側短絡型マイクロストリップ（ハーフパッチ）アンテナの断面構造図である。
【図４】図４は、パッチアンテナの断面構造および伝送線路層の構造を表す図である。
【図５Ａ】図５Ａは、実施の形態１の変形例１に係るアンテナモジュールの展開図である。
【図５Ｂ】図５Ｂは、実施の形態１の変形例２に係るアンテナモジュールの展開図である。
【図６Ａ】図６Ａは、実施の形態１に係るアンテナモジュールが実装された状態の断面図である。
【図６Ｂ】図６Ｂは、実施の形態１に係る通信装置の斜視図である。
【図７】図７は、実施の形態２に係るアンテナモジュールの形状を表す三面図である。
【図８】図８は、第１パッチアンテナの偏波方向を説明する図である。
【図９】図９は、第２パッチアンテナおよびノッチアンテナの偏波方向を説明する図である。
【図１０】図１０は、第２パッチアンテナおよびノッチアンテナのアンテナ放射パターンを表すグラフである。
【図１１】図１１は、実施の形態２の変形例に係るアンテナモジュールの形状を表す三面図である。
【図１２Ａ】図１２Ａは、第２パッチアンテナの断面図および斜視図である。
【図１２Ｂ】図１２Ｂは、グランド電極の形成位置を変化させた第２パッチアンテナの断面図および斜視図である。
【図１３】図１３は、グランド電極の構成を異ならせた場合のノッチアンテナのアンテナ放射パターンを比較した図である。
【図１４】図１４は、無給電の放射電極が配置されたノッチアンテナのアンテナ放射パターンを比較した図である。
【発明を実施するための形態】
【００３１】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置及び接続形態などは、一例であり、本発明を限定する主旨ではない。以下の実施の形態における構成要素のうち、独立請求項に記載されていない構成要素については、任意の構成要素として説明される。また、図面に示される構成要素の大きさ、または大きさの比は、必ずしも厳密ではない。また、各図において、実質的に同一の構成に対しては同一の符号を付しており、重複する説明は省略または簡略化する場合がある。
【００３２】
（実施の形態１）
［１．１  アンテナモジュールの構造］
図１は、実施の形態１に係るアンテナモジュール１の外観斜視図である。また、図２は、実施の形態１に係るアンテナモジュール１の形状を表す三面図（正面図、平面図、側面図）である。
【００３３】
図１に示すように、本実施の形態に係るアンテナモジュール１は、基板１００と、第１パッチアンテナ１０ａ、１０ｂ、１０ｃおよび１０ｄと、第２パッチアンテナ２０ａ、２０ｂ、２０ｃおよび２０ｄと、を備える。
【００３４】
基板１００は、法線方向が交叉し、連続する第１平板部１００ａおよび第２平板部１００ｂを有している。本実施の形態では、基板１００は、第１平板部１００ａと第２平板部１００ｂとが境界線Ｂにおいて略９０°に折り曲げられたＬ字形状を有している。
【００３５】
第１パッチアンテナ１０ａ〜１０ｄは、第１平板部１００ａに形成され、境界線Ｂに沿う方向である列方向（図１ではＺ軸方向）に１列配置されている。第１パッチアンテナ１０ａは、放射電極１１ａと、給電ビア導体１２ａおよび１３ａと、誘電体層１４と、を備える。第１パッチアンテナ１０ｂは、放射電極１１ｂと、給電ビア導体１２ｂおよび１３ｂと、誘電体層１４と、を備える。第１パッチアンテナ１０ｃは、放射電極１１ｃと、給電ビア導体１２ｃおよび１３ｃと、誘電体層１４と、を備える。第１パッチアンテナ１０ｄは、放射電極１１ｄと、給電ビア導体１２ｄおよび１３ｄと、誘電体層１４と、を備える。
【００３６】
第２パッチアンテナ２０ａ〜２０ｄは、第２平板部１００ｂに形成され、境界線Ｂに沿う方向である列方向（図１ではＺ軸方向）に１列配置されている。第２パッチアンテナ２０ａは、放射電極２１ａと、給電ビア導体２２ａと、グランドビア導体２３ａと、誘電体層１５と、を備える。第２パッチアンテナ２０ｂは、放射電極２１ｂと、給電ビア導体２２ｂと、グランドビア導体２３ｂと、誘電体層１５と、を備える。第２パッチアンテナ２０ｃは、放射電極２１ｃと、給電ビア導体２２ｃと、グランドビア導体２３ｃと、誘電体層１５と、を備える。第２パッチアンテナ２０ｄは、放射電極２１ｄと、給電ビア導体２２ｄと、グランドビア導体２３ｄと、誘電体層１５と、を備える。
【００３７】
以下、図３Ａ、図３Ｂおよび図４を用いて、第１パッチアンテナ１０ａ〜１０ｄおよび第２パッチアンテナ２０ａ〜２０ｄの構造について説明する。
【００３８】
図３Ａは、ノーマル（フル）パッチアンテナの断面構造図である。また、図４は、第１パッチアンテナ１０ａの断面構造および伝送線路層の構造を表す図である。図３Ａに示されたノーマル（フル）パッチアンテナは、誘電体層を挟んで互いに対向する放射電極およびグランド電極と、放射電極および伝送線路を接続する給電線とで構成されている。第１パッチアンテナ１０ａ〜１０ｄは、図３Ａに示されたノーマル（フル）パッチアンテナで構成されている。
【００３９】
図３Ａに示すように、第１パッチアンテナ１０ａは、第１平板部１００ａの上に配置された誘電体層１４と、誘電体層１４の上に配置された放射電極１１ａと、給電ビア導体１２ａおよび１３ａ（図示せず）とで構成されている。図４の中段に示すように、第１平板部１００ａには、高周波信号を伝搬するための伝送線路層が形成され、当該伝送線路層は、伝送線路９５と、グランドビア導体９２Ｇと、グランド電極層９０Ｇおよび９１Ｇと、誘電体層１６と、で構成されている。伝送線路９５は、給電ビア導体１２ａ（または１３ａ）と、高周波信号処理回路（図示せず）とを接続する線路である。グランドビア導体９２Ｇは、伝送線路層の上側に配置されたグランド電極層９０Ｇと伝送線路層の下側に配置されたグランド電極層９１Ｇとを接続する導体である。図３Ａの下段に示すように、伝送線路９５は、複数のグランドビア導体９２Ｇ、グランド電極層９０Ｇおよび９１Ｇで囲まれている。この構造により、伝送線路９５は、高周波信号を低損失で伝搬することが可能となる。なお、誘電体層１４と誘電体層１６とは、同じ材料で構成されていてもよいし、また、異なる材料で構成されていてもよい。
【００４０】
第１パッチアンテナ１０ａの上記構成によれば、少なくとも放射電極１１ａの鉛直上方にアンテナ利得を有することが可能となる。また、放射電極１１ａの中心から互いに直交する方向に偏心した給電ビア導体１２ａおよび１３ａ（給電点）により、異なる２つの偏波を発生させることが可能となる。
【００４１】
なお、第１パッチアンテナ１０ｂ〜１０ｄについても、第１パッチアンテナ１０ａと同様の断面構造を有している。よって、第１パッチアンテナ１０ａ〜１０ｄにより、デュアル偏波のアンテナ特性を有することが可能となる。
【００４２】
このような伝送線路層を構成する基板１００としては、例えば、金属導体層および金属導体ビアがパターニング形成された低温同時焼成セラミックス（Ｌｏｗ  Ｔｅｍｐｅｒａｔｕｒｅ  Ｃｏ−ｆｉｒｅｄ  Ｃｅｒａｍｉｃｓ：ＬＴＣＣ）基板、または、プリント基板等が用いられる。さらに、基板１００は、第１平板部１００ａと第２平板部１００ｂとを容易に折り曲げることが可能なフレキシブル基板であってもよい。
【００４３】
図３Ｂは、片側短絡型マイクロストリップ（ハーフパッチ）アンテナの断面構造図である。第２パッチアンテナ２０ａ〜２０ｄは、図３Ｂに示された片側短絡型マイクロストリップ（ハーフパッチ）アンテナで構成されている。図３Ｂに示された片側短絡型マイクロストリップ（ハーフパッチ）アンテナは、誘電体層を挟んで互いに対向する放射電極およびグランド電極と、放射電極の一端およびグランド電極を接続する短絡線と、放射電極に高周波信号を給電する給電線とで構成されている。
【００４４】
図３Ｂに示すように、第２パッチアンテナ２０ａは、第２平板部１００ｂの上に配置された誘電体層１５と、誘電体層１５の上に配置された放射電極２１ａと、給電ビア導体２２ａと、グランドビア導体２３ａとで構成されている。なお、第２平板部１００ｂにも、第１平板部１００ａと同様に、高周波信号を伝搬するための伝送線路層が形成され、当該伝送線路層は、伝送線路９５と、グランドビア導体９２Ｇと、グランド電極層９０Ｇおよび９１Ｇと、誘電体層１６と、で構成されている。第２パッチアンテナ２０ａでは、伝送線路９５は、給電ビア導体２２ａと高周波信号処理回路とを接続する線路である。グランドビア導体２３ａは、放射電極２１ａの一端とグランド電極層９０Ｇまたは９１Ｇとを接続する導体である。なお、誘電体層１５と誘電体層１６とは、同じ材料で構成されていてもよいし、また、異なる材料で構成されていてもよい。第２パッチアンテナ２０ａの上記構成によれば、少なくとも放射電極２１ａの鉛直上方にアンテナ利得を有することが可能となる。
【００４５】
本実施の形態では、給電ビア導体２２ａは、放射電極２１ａと容量結合している。給電ビア導体２２ａと放射電極２１ａとを容量結合させることで、（１）容量付加の自由度が上がるので、整合回路なしでインピーダンス整合を取ることが可能となる。また、（２）ハーフパッチアンテナの電界最大点である放射電極の他端から給電ができるので、給電点までの伝送線路９５を短くでき、これにより、伝送線路９５に不必要なグランド電極層を後退させて誘電体層の体積を増やすことが可能となる。
【００４６】
なお、第２パッチアンテナ２０ｂ〜２０ｄについても、第２パッチアンテナ２０ａと同様の断面構造を有している。
【００４７】
グランド電極層９０Ｇおよび９１Ｇのそれぞれは、第１平板部１００ａから第２平板部１００ｂにわたり連続して設けられている。これにより、アンテナモジュール１を備える通信装置は、アンテナモジュール１の基板が折り曲げられた部分をシールドすることができる。なお、グランド電極層９０Ｇおよび９１Ｇの一方は、第１平板部１００ａと第２平板部１００ｂとの間で非連続となっていてもよい。
【００４８】
図３Ａおよび図３Ｂの断面構造を比較して解るように、片側短絡型マイクロストリップアンテナは、ノーマルパッチアンテナに対して、給電ビア導体２２ａおよびグランドビア導体２３ａの並び方向におけるサイズを、略半分以下とすることが可能となる。より具体的には、第２平板部１００ｂのグランド電極層９０Ｇおよび９１Ｇ、放射電極２１ａ、および誘電体層１５、および伝送線路層の上記並び方向におけるサイズを、使用周波数のλ／２よりも短くすることが可能となる。
【００４９】
本実施の形態に係るアンテナモジュール１では、図１および図２に示すように、第２パッチアンテナ２０ａ〜２０ｄのそれぞれは、矩形形状を有する放射電極２１ａ〜２１ｄの長辺が境界線Ｂに沿うように配置された片側短絡型マイクロストリップアンテナとなっている。さらには、第２パッチアンテナ２０ａ〜２０ｄは、境界線Ｂ、給電ビア導体２２ａ（給電点）、およびグランドビア導体２３ａ（短絡点）の順に配置された片側短絡型マイクロストリップアンテナとなっている。
【００５０】
上記構成によれば、第２平板部１００ｂに形成された全てのパッチアンテナがノーマルパッチアンテナで構成されたアンテナモジュールと比較して、第２平板部１００ｂの（境界線Ｂと垂直方向の）幅を縮小できる。これにより、薄型化が要求される携帯電話など（通信装置）の筐体の主面に第１平板部１００ａを平行配置し、当該筐体の側面に第２平板部１００ｂを平行配置することが可能となる。また、第１平板部１００ａと第２平板部１００ｂとが同一平面上に配置されていないので、複数の指向性を有するアンテナ特性を実現できる。よって、アンテナ放射および受信のカバレージなどのアンテナ特性を改善しつつ当該アンテナモジュールが配置される通信装置の薄型化に貢献することが可能となる。
【００５１】
なお、第１パッチアンテナ１０ａ〜１０ｄは、上記列方向に１列配置されていることに限定されず、上記列方向に２列以上配置されていてもよい。また、第２パッチアンテナ２０ａ〜２０ｄは、上記列方向に１列配置されていることに限定されず、上記列方向に２列以上配置されていてもよい。
【００５２】
［１．２  変形例１に係るアンテナモジュールの構造］
図５Ａは、実施の形態１の変形例１に係るアンテナモジュール１Ａの展開図である。本変形例に係るアンテナモジュール１Ａでは、アンテナモジュール１と同様に、第１平板部１００ａと第２平板部１００ｂとが境界線Ｂにおいて略９０°に折り曲げられたＬ字形状を有しているが、構成を簡明にするため、図５Ａでは、基板１００を平面に展開した図を用いている。
【００５３】
本変形例に係るアンテナモジュール１Ａは、実施の形態１に係るアンテナモジュール１と比較して、第１パッチアンテナおよび第２パッチアンテナが、それぞれ２列配置されている点が異なる。本変形例に係るアンテナモジュール１Ａについて、実施の形態１に係るアンテナモジュール１と同じ点は説明を省略し、異なる点を中心に説明する。
【００５４】
図５Ａに示すように、本変形例に係るアンテナモジュール１Ａは、基板１００と、第１パッチアンテナ１０ａ、１０ｂ、１０ｃ、１０ｄ、１５ａ、１５ｂ、１５ｃ、および１５ｄと、第２パッチアンテナ２０ａ、２０ｂ、２０ｃ、２０ｄ、２５ａ、２５ｂ、２５ｃ、および２５ｄと、を備える。
【００５５】
基板１００は、法線方向が交叉し、連続する第１平板部１００ａおよび第２平板部１００ｂを有している。本変形例では、基板１００は、第１平板部１００ａと第２平板部１００ｂとが境界線Ｂにおいて略９０°に折り曲げられたＬ字形状を有している。
【００５６】
第１パッチアンテナ１０ａ〜１０ｄおよび１５ａ〜１５ｄは、第１平板部１００ａに形成され、境界線Ｂに沿う方向である列方向（図１ではＺ軸方向）に２列配置されている。
【００５７】
第２パッチアンテナ２０ａ〜２０ｄおよび２５ａ〜２５ｄは、第２平板部１００ｂに形成され、境界線Ｂに沿う方向である列方向（図１ではＺ軸方向）に２列配置されている。
【００５８】
第１パッチアンテナ１０ａ〜１０ｄおよび１５ａ〜１５ｄは、図３Ａに示されたノーマル（フル）パッチアンテナで構成されている。
【００５９】
第２パッチアンテナ２５ａ〜２５ｄは、図３Ａに示されたノーマル（フル）パッチアンテナで構成されている。
【００６０】
一方、第２パッチアンテナ２０ａ〜２０ｄおよび２５ａ〜２５ｄのうち、境界線Ｂから最も離れた１列に配置された第２パッチアンテナ２０ａ〜２０ｄは、図３Ｂに示された片側短絡型マイクロストリップ（ハーフパッチ）アンテナで構成されている。
【００６１】
本変形例に係るアンテナモジュール１Ａでは、第２平板部１００ｂの最外列に配置された第２パッチアンテナ２０ａ〜２０ｄは、境界線Ｂ、給電ビア導体２２ａ（給電点）、およびグランドビア導体２３ａ（短絡点）の順に配置された片側短絡型マイクロストリップアンテナとなっている。
【００６２】
上記構成によれば、第２平板部１００ｂに形成された全てのパッチアンテナがノーマルパッチアンテナで構成されたアンテナモジュールと比較して、第２平板部１００ｂの（境界線Ｂと垂直方向との）幅を縮小できる。これにより、薄型化が要求される携帯電話など（通信装置）の筐体の主面に第１平板部１００ａを平行配置し、当該筐体の側面に第２平板部１００ｂを平行配置することが可能となる。また、第１平板部１００ａと第２平板部１００ｂとが同一平面上に配置されていないので、複数の指向性を有するアンテナ特性を実現できる。よって、アンテナ放射および受信のカバレージなどのアンテナ特性を改善しつつ当該アンテナモジュールが配置される通信装置の薄型化に貢献することが可能となる。
【００６３】
さらに、複数列のパッチアンテナを配置することで、列方向と直交する方向の指向性を高めることが可能となる。つまり、パッチアンテナの配置数を調整することで、アンテナの指向性を調整することが可能となる。
【００６４】
［１．３  変形例２に係るアンテナモジュールの構造］
図５Ｂは、実施の形態１の変形例２に係るアンテナモジュール１Ｂの展開図である。本変形例に係るアンテナモジュール１Ｂでは、アンテナモジュール１と同様に、第１平板部１００ａと第２平板部１００ｂとが境界線Ｂにおいて略９０°に折り曲げられたＬ字形状を有しているが、構成を簡明にするため、図５Ｂでは、基板１００を平面に展開した図を用いている。
【００６５】
本変形例に係るアンテナモジュール１Ｂは、実施の形態１に係るアンテナモジュール１と比較して、第１パッチアンテナが、２列配置されている点が異なる。本変形例に係るアンテナモジュール１Ｂについて、実施の形態１に係るアンテナモジュール１と同じ点は説明を省略し、異なる点を中心に説明する。
【００６６】
図５Ｂに示すように、本変形例に係るアンテナモジュール１Ｂは、基板１００と、第１パッチアンテナ１５ａ、１５ｂ、１５ｃ、１５ｄ、１６ａ、１６ｂ、１６ｃ、および１６ｄと、第２パッチアンテナ２５ａ、２５ｂ、２５ｃ、および２５ｄと、を備える。
【００６７】
基板１００は、法線方向が交叉し、連続する第１平板部１００ａおよび第２平板部１００ｂを有している。本変形例では、基板１００は、第１平板部１００ａと第２平板部１００ｂとが境界線Ｂにおいて略９０°に折り曲げられたＬ字形状を有している。
【００６８】
第１パッチアンテナ１５ａ〜１５ｄおよび１６ａ〜１６ｄは、第１平板部１００ａに形成され、境界線Ｂに沿う方向である列方向（図１ではＺ軸方向）に２列配置されている。
【００６９】
第２パッチアンテナ２５ａ〜２５ｄは、第２平板部１００ｂに形成され、境界線Ｂに沿う方向である列方向（図１ではＺ軸方向）に１列配置されている。
【００７０】
第１パッチアンテナ１５ａ〜１５ｄは、図３Ａに示されたノーマル（フル）パッチアンテナで構成されている。
【００７１】
第２パッチアンテナ２５ａ〜２５ｄは、図３Ａに示されたノーマル（フル）パッチアンテナで構成されている。ここで、第２パッチアンテナ２５ａ〜２５ｄの、上記列方向に垂直かつ第２平板部１００ｂの主面に平行な第２方向の大きさＤｂは、第１パッチアンテナ１５ａ〜１５ｄの、上記列方向に垂直かつ第１平板部１００ａの主面に平行な第１方向の大きさＤａより小さい。
【００７２】
一方、第１パッチアンテナ１５ａ〜１５ｄおよび１６ａ〜１６ｄのうち、境界線Ｂに最も近い１列に配置された第１パッチアンテナ１６ａ〜１６ｄは、図３Ｂに示された片側短絡型マイクロストリップ（ハーフパッチ）アンテナで構成されている。
【００７３】
本変形例に係るアンテナモジュール１Ｂでは、第１平板部１００ａの境界線Ｂに最も近い１列に配置された第１パッチアンテナ１６ａ〜１６ｄは、境界線Ｂ、グランドビア導体２３ａ（短絡点）、および給電ビア導体２２ａ（給電点）の順に配置された片側短絡型マイクロストリップアンテナとなっている。
【００７４】
上記構成によれば、第２パッチアンテナ２５ａ〜２５ｄの第２方向の大きさＤｂが、第１パッチアンテナ１５ａ〜１５ｄの第１方向の大きさＤａよりも小さいので、第２平板部１００ｂの（第２方向の）幅を縮小できる。また、第２平板部１００ｂのパッチアンテナのサイズを小さくしたことにより低下するアンテナ性能を、第１平面部１００ａの境界線Ｂに近接する１列に配置された片側短絡型マイクロストリップアンテナ（第１パッチアンテナ１６ａ〜１６ｄ）で補助することが可能となる。これにより、薄型化が要求される携帯電話など（通信装置）の筐体の主面に第１平板部１００ａを平行配置し、当該筐体の側面に第２平板部１００ｂを平行配置することが可能となる。また、第１平板部１００ａと第２平板部１００ｂとが同一平面上に配置されていないので、複数の指向性を有するアンテナ特性を実現できる。よって、アンテナ放射および受信のカバレージなどのアンテナ特性を改善しつつ当該アンテナモジュールが配置される通信装置の薄型化に貢献することが可能となる。
【００７５】
さらに、第１平面部１００ａに複数列のパッチアンテナを配置することで、列方向と直交する方向の指向性を高めることが可能となる。つまり、パッチアンテナの配置数を調整することで、アンテナの指向性を調整することが可能となる。
【００７６】
なお、第１平面部１００ａのノーマルパッチアンテナおよび第２平面部１００ｂのノーマルパッチアンテナは、２列以上配置されてもよい。第２平面部１００ｂのノーマルパッチアンテナが２列以上配置されて場合には、第２平面部１００ｂの２列以上のノーマルパッチアンテナのうち、境界線Ｂから最も離れた１列に配置されたノーマルパッチアンテナの第２方向の大きさが、第１平面部１００ａのノーマルパッチアンテナの第１方向の大きさより小さければよい。これにより、第２平板部１００ｂの（第２方向の）幅を縮小できる。また、第２平板部１００ｂのパッチアンテナのサイズを小さくしたことにより低下するアンテナ性能を、第１平面部１００ａの境界線Ｂに近接する１列に配置された片側短絡型マイクロストリップアンテナ（第１パッチアンテナ１６ａ〜１６ｄ）で補助することが可能となる。これにより、薄型化が要求される携帯電話など（通信装置）の筐体の主面に第１平板部１００ａを平行配置し、当該筐体の側面に第２平板部１００ｂを平行配置することが可能となる。また、第１平板部１００ａと第２平板部１００ｂとが同一平面上に配置されていないので、複数の指向性を有するアンテナ特性を実現できる。よって、アンテナ放射および受信のカバレージなどのアンテナ特性を改善しつつ当該アンテナモジュールが配置される通信装置の薄型化に貢献することが可能となる。
【００７７】
また、上記構成によれば、第１パッチアンテナ１５ａ〜１５ｄは、第１平板部１００ａの鉛直方向に指向性を有する第１偏波、および当該第１偏波と異なる第２偏波を形成し、第２パッチアンテナ２５ａ〜２５ｄは、第２平板部１００ｂの鉛直方向に指向性を有する第３偏波、および当該第３偏波と異なる第４偏波を形成する。これにより、第１パッチアンテナ１５ａ〜１５ｄの放射方向、および、第２パッチアンテナ２５ａ〜２５ｄの放射方向の双方において、いわゆる、デュアル偏波型のアンテナモジュール１Ｂを構成できる。
【００７８】
なお、変形例２に係るアンテナモジュール１Ｂにおいて、第１パッチアンテナ１６ａ〜１６ｄは、配置されていなくてもよい。この構成においても、第２平板部１００ｂに配置された第２パッチアンテナ２５ａ〜２５ｄの第２方向の大きさＤｂが、第１平板部１００ａに配置された第１パッチアンテナ１５ａ〜１５ｄの第１方向の大きさＤａより小さいため、全てのパッチアンテナが第１パッチアンテナ１５ａ〜１５ｄで構成されたアンテナモジュールと比較して、第２平板部１００ｂの（境界線と垂直方向との）幅を縮小できる。これにより、薄型化が要求される通信装置の筐体の主面に第１平板部１００ａを平行配置し、当該筐体の側面に第２平板部１００ｂを平行配置することが可能となる。また、第１平板部１００ａと第２平板部１００ｂとが同一平面上に配置されていないので、複数の指向性を有するアンテナ特性を実現できる。よって、アンテナ特性を改善しつつ当該アンテナモジュールが配置される通信装置の薄型化に貢献することが可能となる。
【００７９】
［１．４  通信装置の構成］
次に、本実施の形態に係るアンテナモジュール１または１Ａを有する通信装置の構成について説明する。
【００８０】
図６Ａは、実施の形態１に係るアンテナモジュール１が実装基板５００に実装された状態の断面図である。また、図６Ｂは、実施の形態１に係る通信装置２００の斜視図である。図６Ａに示すように、アンテナモジュール１は、図１に示されたアンテナモジュール１に加えて、さらに、高周波回路部品４００を備える。高周波回路部品４００は、高周波信号処理回路（ＲＦＩＣ）を含む。また、高周波回路部品４００は、高周波信号処理回路（ＲＦＩＣ）の他、高周波フィルタ、インダクタ、キャパシタ等の高周波回路素子を有していてもよい。高周波回路部品４００は、上記高周波信号処理回路（ＲＦＩＣ）および高周波回路素子を、１パッケージ内に配置したものでもよく、また、１チップ化（ＩＣ化）されていてもよい。
【００８１】
高周波回路部品４００は、第１パッチアンテナ１０ｄが形成された第１平板部１００ａの面と反対側の面に配置されている。また、高周波回路部品４００は、基板１００と実装基板５００との間に重点された樹脂部材４０に覆われている。これにより、アンテナモジュール１と実装基板５００との実装強度を確保できる。高周波回路部品４００は、アンテナモジュール１の伝送線路層でもある基板１００と、外部実装電極などを介して電気的に接続されている。なお、外部実装電極としては、はんだバンプなどを用いてもよい。
【００８２】
また、高周波回路部品４００は、基板１００および柱状電極６０に形成された配線６０Ｃに接続され、電源電圧および制御信号などを入出力する。なお、柱状電極６０は、例えば、Ｃｕからなる。なお、高周波回路部品４００の周囲には、柱状電極６０が配置されていなくてもよいが、柱状電極６０は放熱経路となるため、柱状電極６０の配置により放熱性を向上させることが可能となる。
【００８３】
また、高周波回路部品４００のＲＦＩＣは、コネクタ５０Ａおよび５０Ｂならびに配線５０Ｃおよび５０Ｄを経由して、ＢＢＩＣ６００から入力された信号をアップコンバートして第１パッチアンテナ１０ａ〜１０ｄおよび第２パッチアンテナ２０ａ〜２０ｄに出力する送信系の信号処理、および、第１パッチアンテナ１０ａ〜１０ｄおよび第２パッチアンテナ２０ａ〜２０ｄから入力された高周波信号をダウンコンバートしてＢＢＩＣ６００に出力する受信系の信号処理、の少なくとも一方を行う。なお、配線５０Ｃは、ＬＯ信号およびＩＦ信号を伝送するための同軸線であることが好ましい。
【００８４】
また、高周波回路部品４００と実装基板５００との接合形態としては、高周波回路部品４００の裏面に形成されたＣｕ面を実装基板５００と接合してもよい。この場合、高周波回路部品４００の裏面にＣｕ面を形成する方法としては、高周波回路部品４００の裏面にＣｕ板を高導電性接着剤などで固定し、これを樹脂で覆った後、Ｃｕ板が露出するまで切削する。最後に、露出したＣｕ面を実装基板にはんだ付けする。これにより、高周波回路部品４００、特にＲＦＩＣからの発熱を、実装基板５００経由で放熱することが可能となる。
【００８５】
上記構成によれば、第１平板部１００ａを挟んで第１パッチアンテナ１０ａ〜１０ｄとＲＦＩＣとを配置することが可能となる。よって、ＲＦＩＣと第１パッチアンテナ１０ａ〜１０ｄとを接続する伝送線路９５を短縮化できる。また、この場合、第２平板部１００ｂを挟んで第２パッチアンテナ２０ａ〜２０ｄとＲＦＩＣとを配置することが可能となる。よって、ＲＦＩＣと第２パッチアンテナ２０ａ〜２０ｄとを接続する伝送線路９５を短縮化できる。よって、高周波信号の伝搬損失を低減できる。
【００８６】
図６Ｂに示すように、通信装置２００は、図６Ａに示されたアンテナモジュール１と、ＢＢＩＣ６００と、高周波回路部品４００と、実装基板５００と、を備える。通信装置２００は、例えば、携帯電話などに適用される。
【００８７】
実装基板５００は、ＢＢＩＣ６００および高周波回路部品４００が実装された基板であり、例えば、プリント基板などである。なお、実装基板５００は、通信装置２００の筐体であってもよい。
【００８８】
ここで、図６Ｂに示すように、本実施の形態に係る通信装置２００では、第１平板部１００ａの主面は、実装基板５００の主面５００ａと対向するように配置され、第２平板部１００ｂの主面は、実装基板５００の端部側面５００ｂと対向するように配置される。
【００８９】
上記構成によれば、第２平板部１００ｂの幅が縮小されたアンテナモジュール１において、通信装置２００の実装基板５００（または筐体）の端部側面５００ｂに第２平板部１００ｂが平行配置される。よって、アンテナ放射および受信のカバレージなどのアンテナ特性を改善しつつ、通信装置２００を薄型化することが可能となる。
【００９０】
（実施の形態２）
［２．１  アンテナモジュールの構造］
本実施の形態では、実施の形態１に係るアンテナモジュール１の第２パッチアンテナの偏波方向を補填する構成について説明する。
【００９１】
図７は、実施の形態２に係るアンテナモジュール２の形状を表す三面図（正面図、平面図、側面図）である。
【００９２】
図７に示すように、本実施の形態に係るアンテナモジュール２は、基板１００と、第１パッチアンテナ１０ａ、１０ｂ、１０ｃおよび１０ｄと、第２パッチアンテナ２０ａ、２０ｂ、２０ｃおよび２０ｄと、ノッチアンテナ３０ａ、３０ｂ、３０ｃおよび３０ｄと、を備える。本実施の形態に係るアンテナモジュール２は、実施の形態１に係るアンテナモジュール１と比較して、ノッチアンテナ３０ａ〜３０ｄを備える点が異なる。本実施の形態に係るアンテナモジュール２について、実施の形態１に係るアンテナモジュール１と同じ点は説明を省略し、異なる点を中心に説明する。
【００９３】
第１平板部１００ａは、互いに背向する第１主面１０１および第２主面１０２を有し、第２平板部１００ｂは、互いに背向する第３主面１０３および第４主面１０４を有している。第１主面１０１と第３主面１０３とは連続しており、第２主面１０２と第４主面１０４とは連続している。
【００９４】
第１パッチアンテナ１０ａ〜１０ｄは、第１主面１０１および第２主面１０２のうち第１主面１０１側に配置され、第２パッチアンテナ２０ａ〜２０ｄは、第３主面１０３および第４主面１０４のうち第３主面１０３側に配置されている。
【００９５】
ノッチアンテナ３０ａ〜３０ｄは、第１パッチアンテナ１０ａ〜１０ｄと第２パッチアンテナ２０ａ〜２０ｄとの間であって、境界線Ｂに沿う方向である列方向（図７ではＺ軸方向）に１列配置されている。
【００９６】
ノッチアンテナ３０ａ〜３０ｄのそれぞれは、誘電体層１４の表面に形成された面状のグランド導体パターンと、当該グランド導体パターンで挟まれたグランド非形成領域と、当該グランド非形成領域内の上記表面に配置された放射電極と、給電線とで構成されている。給電線に給電された高周波信号は、放射電極から放射される。
【００９７】
第１パッチアンテナ１０ａ〜１０ｄが、第１平板部１００ａの鉛直上方（図７のＸ軸正方向）に指向性を有するのに対して、ノッチアンテナ３０ａ〜３０ｄは、第２平板部１００ｂの鉛直上方（図７のＹ軸正方向）を中心に指向性を有する。
【００９８】
図８は、第１パッチアンテナ１０ａの偏波方向を説明する図である。また、図９は、第２パッチアンテナ２０ａおよびノッチアンテナ３０ａの偏波方向を説明する図である。
【００９９】
図８に示すように、第１パッチアンテナ１０ａにおいて、給電ビア導体１２ａ（第１給電点）から放射される高周波信号は、Ｙ軸方向を偏波方向の中心とする縦偏波（第１偏波）を形成する。一方、給電ビア導体１３ａ（第２給電点）から放射される高周波信号は、Ｚ軸方向を偏波方向の中心とする横偏波（第２偏波）を形成する。
【０１００】
また、図９に示すように、第２パッチアンテナ２０ａから放射される高周波信号は、Ｘ軸方向を偏波方向の中心とする縦偏波（第３偏波）を形成する。一方、ノッチアンテナ３０ａから放射される高周波信号は、Ｚ軸方向を偏波方向の中心とする横偏波（第４偏波）を形成する。
【０１０１】
図１０は、第２パッチアンテナ２０ａ〜２０ｄおよびノッチアンテナ３０ａ〜３０ｄのアンテナ放射パターンを表すグラフである。同図の左側半分には、第２パッチアンテナ２０ａ〜２０ｄのみを動作させた場合のアンテナ放射パターンが示されており、同図の右側半分には、ノッチアンテナ３０ａ〜３０ｄのみを動作させた場合のアンテナ放射パターンが示されている。
【０１０２】
図１０に示すように、第２パッチアンテナ２０ａ〜２０ｄのみを動作させた場合、縦方向のピークゲインは７．７２ｄＢであり、横方向のピークゲインは−６．７７ｄＢである。これより、第２パッチアンテナ２０ａ〜２０ｄは、縦偏波のみの性能を有すると言える。
【０１０３】
一方、ノッチアンテナ３０ａ〜３０ｄのみ動作させた場合、縦方向のピークゲインは−７．６８ｄＢであり、横方向のピークゲインは６．７８ｄＢである。
【０１０４】
これにより、第２パッチアンテナ２０ａ〜２０ｄおよびノッチアンテナ３０ａ〜３０ｄにおいて、相手側アンテナの主偏波のゲインはどちらも十分小さく、互いに干渉し合わず、当該２種類のアンテナで縦偏波（第３偏波）および横偏波（第４偏波）の２偏波を有することが可能となる。
【０１０５】
片側短絡型マイクロストリップアンテナを構成する第２パッチアンテナ２０ａ〜２０ｄは、１方向の偏波形成に限定される。一方、ノーマル（フル）パッチアンテナを構成する第１パッチアンテナ１０ａ〜１０ｄの場合、１つの放射電極に複数の給電点を設けることにより、２方向の偏波形成が可能となる。
【０１０６】
上記構成によれば、ノッチアンテナ３０ａ〜３０ｄが第２パッチアンテナ２０ａ〜２０ｄの近傍に配置されるので、第２パッチアンテナ２０ａ〜２０ｄの放射方向において、第２パッチアンテナ２０ａ〜２０ｄにより形成される縦偏波（第３偏波）だけでなく、ノッチアンテナ３０ａ〜３０ｄにより横偏波（第４偏波）を形成できる。よって、第１パッチアンテナ１０ａ〜１０ｄの放射方向、および、第２パッチアンテナ２０ａ〜２０ｄの放射方向の双方において、いわゆる、デュアル偏波型のアンテナモジュール２を構成できる。
【０１０７】
なお、本実施の形態では、ノッチアンテナ３０ａ〜３０ｄは、第１平板部１００ａの第１主面１０１に配置されている。
【０１０８】
これによれば、ノッチアンテナ３０ａ〜３０ｄは、第２パッチアンテナ２０ａ〜２０ｄの近傍に配置されているが、第２平板部１００ｂではなく第１平板部１００ａに配置されるので、ノッチアンテナ３０ａ〜３０ｄの配置により第２平板部１００ｂの幅は大きくならない。よって、デュアル偏波型のアンテナモジュール２を構成しつつアンテナモジュール２が配置される通信装置の薄型化に貢献することが可能となる。
【０１０９】
また、第２パッチアンテナ２０ａ〜２０ｄの縦偏波（第３偏波）の偏波方向と横偏波（第４偏波）の偏波方向とのなす角度は、略９０°であることが好ましい。
【０１１０】
これにより、第２パッチアンテナ２０ａ〜２０ｄと、ノッチアンテナ３０ａ〜３０ｄとのアイソレーションを最適化できる。
【０１１１】
また、第１パッチアンテナ１０ａ〜１０ｄの縦偏波（第１偏波）の偏波方向と横偏波（第２偏波）の偏波方向とのなす角度は、略９０°であることが好ましい。
【０１１２】
これにより、第１パッチアンテナ１０ａ〜１０ｄの縦偏波（第１偏波）と横偏波（第２偏波）とのアイソレーションを最適化できる。
【０１１３】
［２．２  変形例に係るアンテナモジュールの構造］
図１１は、実施の形態２の変形例に係るアンテナモジュール２Ａの形状を表す三面図である。同図に示すように、本変形例に係るアンテナモジュール２Ａは、基板１００と、第１パッチアンテナ１０ａ、１０ｂ、１０ｃおよび１０ｄと、第２パッチアンテナ２０ａ、２０ｂ、２０ｃおよび２０ｄと、ダイポールアンテナ３５ａ、３５ｂ、３５ｃおよび３５ｄと、を備える。本変形例に係るアンテナモジュール２Ａは、実施の形態２に係るアンテナモジュール２と比較して、ノッチアンテナ３０ａ〜３０ｄの替わりにダイポールアンテナ３５ａ〜３５ｄが配置されている点が異なる。本変形例に係るアンテナモジュール２Ａについて、実施の形態２に係るアンテナモジュール２と同じ点は説明を省略し、異なる点を中心に説明する。
【０１１４】
ダイポールアンテナ３５ａ〜３５ｄは、第１パッチアンテナ１０ａ〜１０ｄと第２パッチアンテナ２０ａ〜２０ｄとの間であって、境界線Ｂに沿う方向である列方向（図１１ではＺ軸方向）に１列配置されている。
【０１１５】
第１パッチアンテナ１０ａ〜１０ｄが、第１平板部１００ａの鉛直上方（図７のＸ軸正方向）に指向性を有するのに対して、ダイポールアンテナ３５ａ〜３５ｄは、第２平板部１００ｂの鉛直上方（図７のＹ軸正方向）を中心に指向性を有する。
【０１１６】
片側短絡型マイクロストリップアンテナを構成する第２パッチアンテナ２０ａ〜２０ｄは、１方向の偏波形成に限定される。一方、ノーマル（フル）パッチアンテナを構成する第１パッチアンテナ１０ａ〜１０ｄの場合、１つの放射電極に複数の給電点を設けることにより、２方向の偏波形成が可能となる。
【０１１７】
上記構成によれば、ダイポールアンテナ３５ａ〜３５ｄが第２パッチアンテナ２０ａ〜２０ｄの近傍に配置されるので、第２パッチアンテナ２０ａ〜２０ｄの放射方向において、第２パッチアンテナ２０ａ〜２０ｄにより形成される縦偏波（第１偏波）だけでなく、ダイポールアンテナ３５ａ〜３５ｄにより横偏波（第２偏波）を形成できる。よって、第１パッチアンテナ１０ａ〜１０ｄの放射方向、および、第２パッチアンテナ２０ａ〜２０ｄの放射方向の双方において、いわゆる、デュアル偏波型のアンテナモジュール２Ａを構成できる。
【０１１８】
なお、本実施の形態では、ダイポールアンテナ３５ａ〜３５ｄは、第１平板部１００ａの第１主面１０１に配置されている。
【０１１９】
これによれば、ダイポールアンテナ３５ａ〜３５ｄは、第２パッチアンテナ２０ａ〜２０ｄの近傍に配置されているが、第２平板部１００ｂではなく第１平板部１００ａに配置されるので、ダイポールアンテナ３５ａ〜３５ｄの配置により第２平板部１００ｂの幅は大きくならない。よって、デュアル偏波型のアンテナモジュール２Ａを構成しつつアンテナモジュール２Ａが配置される通信装置の薄型化に貢献することが可能となる。
【０１２０】
［２．３  第２パッチアンテナの断面構造］
図１２Ａは、第２パッチアンテナ２０ａの断面図および斜視図である。同図に示すように、片側短絡型マイクロストリップ構造を有する第２パッチアンテナ２０ａは、グランド電極層９０Ｇおよび９１Ｇと、グランド電極層９０Ｇおよび９１Ｇの上に形成された誘電体層１５と、誘電体層１５上に形成された放射電極２１ａと、給電点および伝送線路９５を接続する給電ビア導体２２ａと、放射電極２１ａの短絡点およびグランド電極層９０Ｇおよび９１Ｇを接続するグランドビア導体２３ａと、で構成されている。グランド電極層９０Ｇ、９１Ｇおよびグランドビア導体９２Ｇは、グランド電極を構成する。
【０１２１】
上記構成において、グランドビア導体２３ａは、放射電極２１ａの一端に接続され、給電ビア導体２２ａ（給電点）は、放射電極２１ａの一端と対向する他端に容量結合される。ここで、グランドビア導体２３ａ近傍には伝送線路９５が不要であるため、グランドビア導体２３ａ近傍では、伝送線路９５を囲むためのグランド電極が不要となる。
【０１２２】
図１２Ｂは、グランド電極の形成位置を変化させた第２パッチアンテナ２０ａの断面図および斜視図である。同図に示すように、グランドビア導体２３ａ近傍には伝送線路９５が不要であるため、グランドビア導体２３ａ近傍のグランド電極層９０Ｇおよびグランドビア導体９２Ｇを削減できる。これにより、グランドビア導体２３ａの近傍領域における放射電極２１ａとグランド電極（グランド電極層９１Ｇ）との距離Ｌ１は、給電ビア導体２２ａの近傍領域における放射電極２１ａとグランド電極（グランド電極層９０Ｇ）との距離Ｌ２よりも大きくすることが可能となる。言い換えると、グランドビア導体２３ａの近傍領域における誘電体層１５の厚さを、給電ビア導体２２ａの近傍領域における誘電体層１５の厚さよりも厚くできる。よって、片側短絡型マイクロストリップアンテナである第２パッチアンテナ２０ａの帯域幅を拡げることが可能となる。
【０１２３】
［２．４  ノッチアンテナに対するグランド電極層の影響］
図１３は、グランド電極の構成を異ならせた場合のノッチアンテナ３０ａ〜３０ｄのアンテナ放射パターンである。
【０１２４】
図１３の（ａ）に示すように、ノッチアンテナ３０ａ〜３０ｄのＹ軸正方向にグランド電極（基板１００）がない場合、ノッチアンテナ３０ａ〜３０ｄの指向性は、概ねＹ軸正方向となり、ピークゲインは７．３１ｄＢとなる。
【０１２５】
一方、図１３の（ｂ）に示すように、本実施の形態に係るアンテナモジュール２および２Ａのように、ノッチアンテナ３０ａ〜３０ｄのＹ軸正方向にグランド電極（基板１００）が配置されている場合、当該グランド電極の影響により、ノッチアンテナ３０ａ〜３０ｄの指向性は分散され、放射ピークはＹ軸正方向からＸ軸正方向へ向かう方向へと変化し、ピークゲインが２．１７ｄＢとなる。
【０１２６】
これに対して、図１３の（ｃ）に示すように、ノッチアンテナ３０ａ〜３０ｄのＹ軸正方向に配置されるグランド電極の一部を削減することにより、放射ピークの方向はグランド電極の影響を受けるが、ノッチアンテナ３０ａ〜３０ｄの指向性の分散は抑制され、ピークゲインが６．７８ｄＢとなる。
【０１２７】
つまり、ノッチアンテナ３０ａ〜３０ｄと第２パッチアンテナ２０ａ〜２０ｄとの間に配置されたグランド電極の面積を縮小化することにより、ノッチアンテナ３０ａ〜３０ｄの指向性を改善できる。
【０１２８】
［２．５  ノッチアンテナに対する無給電放射電極の影響］
図１４は、無給電の放射電極３１ａ〜３１ｄが配置されたノッチアンテナのアンテナ放射パターンを比較した図である。
【０１２９】
図１４の（ａ）に示すように、本実施の形態に係るノッチアンテナ３０ａ〜３０ｄでは、その指向性は、概ねＹ軸正方向となるが、若干Ｘ軸方向に傾く場合がある。これに対して、本変形例に係るノッチアンテナ３０ａ〜３０ｄには、無給電の放射電極３１ａ〜３１ｄが配置されている。放射電極３１ａ〜３１ｄは、図１４の（ｂ）の断面図に示すように、基板１００から離れ、ノッチアンテナ３０ａ〜３０ｄから第２平板部１００ｂの鉛直上方（Ｙ軸正方向）に配置されている。放射電極３１ａ〜３１ｄは、例えば、通信装置の筐体５１０の内部側面に配置されている。放射電極３１ａ〜３１ｄの配置により、図１４の（ｂ）の放射パターンに示されるように、ノッチアンテナ３０ａ〜３０ｄの指向性が改善され、Ｘ軸方向の傾き成分が低減され、Ｙ軸正方向となっている。放射電極３１ａ〜３１ｄは、ノッチアンテナ３０ａ〜３０ｄの導波器として機能していると言える。
【０１３０】
なお、ノッチアンテナ３０ａ〜３０ｄに対する無給電の放射電極だけでなく、第２パッチアンテナ２０ａ〜２０ｄの指向性を改善するための無給電放射電極が配置されてもよい。第２パッチアンテナ２０ａ〜２０ｄの無給電放射電極は、例えば、基板１００から離れ、ノッチアンテナ３０ａ〜３０ｄから第２平板部１００ｂの鉛直上方（Ｙ軸正方向）であって、放射電極３１ａ〜３１ｄの下方（Ｘ軸負方向）に配置されることが好ましい。これにより、第２パッチアンテナ２０ａ〜２０ｄのＹ軸方向への指向性を改善できる。
【０１３１】
（その他の変形例）
以上、本発明の実施の形態およびその実施例に係るアンテナモジュールおよび通信装置について説明したが、本発明は上記実施の形態およびその実施例に限定されるものではない。上記実施の形態における任意の構成要素を組み合わせて実現される別の実施の形態や、上記実施の形態に対して本発明の主旨を逸脱しない範囲で当業者が思いつく各種変形を施して得られる変形例や、本開示のアンテナモジュールおよび通信装置を内蔵した各種機器も本発明に含まれる。
【０１３２】
例えば、本発明に係るアンテナモジュールは、第１平板部１００ａと第２平板部１００ｂとが境界線Ｂにおいて折り曲げられたＬ字形状を有しているだけでなく、さらに、第２平板部１００ｂと連続し第２平板部１００ｂと法線方向が交叉する第３平板部を有していてもよい。この場合、典型的には、第１平板部１００ａと第３平板部とは略平行で対向する関係となり、第３平板部には、ノーマル（フル）パッチアンテナが配置されてもよい。これによれば、例えば、薄型化が供給される携帯電話の第１主面（表面）に第１平板部１００ａを配置し、当該第１主面に背向する第２主面（裏面）に第３平板部を配置し、第１主面と第２主面とを繋ぐ端部側面に第２平板部を配置することで、薄型化に対応することが可能となる。
【０１３３】
また、通信装置２００が有する高周波信号処理回路（ＲＦＩＣ）は、高周波信号を増幅するパワーアンプおよびローノイズアンプを含んでいてもよい。
【０１３４】
なお、上記実施の形態１および２では、第１パッチアンテナおよび第２パッチアンテナは、境界線Ｂに沿う方向である列方向に４つのパッチアンテナが配置された構成を例示したが、一列あたりに配置される第１パッチアンテナおよび第２パッチアンテナの個数は、それぞれ１個以上であればよい。また、一列あたり１個の第１パッチアンテナが配置される場合、および、一列あたり１個の第２パッチアンテナが配置される場合であっても、当該１個の第１パッチアンテナが１列配置されている、および、当該１個の第２パッチアンテナが１列配置されている、と表現するものとする。
【産業上の利用可能性】
【０１３５】
本発明は、アンテナ放射および受信のカバレージなどのアンテナ特性に優れたアンテナモジュールとして、薄型化が要求されるミリ波帯移動体通信システムおよび通信機器に広く利用できる。
【符号の説明】
【０１３６】
１、１Ａ、１Ｂ、２、２Ａ    アンテナモジュール
１０ａ、１０ｂ、１０ｃ、１０ｄ、１５ａ、１５ｂ、１５ｃ、１５ｄ、１６ａ、１６ｂ、１６ｃ、１６ｄ    第１パッチアンテナ
１１ａ、１１ｂ、１１ｃ、１１ｄ、２１ａ、２１ｂ、２１ｃ、２１ｄ、３１ａ、３１ｂ、３１ｃ、３１ｄ    放射電極
１２ａ、１２ｂ、１２ｃ、１２ｄ、１３ａ、１３ｂ、１３ｃ、１３ｄ、２２ａ、２２ｂ、２２ｃ、２２ｄ    給電ビア導体
１４、１５、１６    誘電体層
２０ａ、２０ｂ、２０ｃ、２０ｄ、２５ａ、２５ｂ、２５ｃ、２５ｄ    第２パッチアンテナ
２３ａ、２３ｂ、２３ｃ、２３ｄ、９２Ｇ    グランドビア導体
３０ａ、３０ｂ、３０ｃ、３０ｄ    ノッチアンテナ
３５ａ、３５ｂ、３５ｃ、３５ｄ    ダイポールアンテナ
４０    樹脂
５０Ａ、５０Ｂ    コネクタ
５０Ｃ、５０Ｄ、６０Ｃ    配線
６０    柱状電極
９０Ｇ、９１Ｇ    グランド電極層
９５    伝送線路
１００    基板
１００ａ    第１平板部
１００ｂ    第２平板部
１０１    第１主面
１０２    第２主面
１０３    第３主面
１０４    第４主面
２００    通信装置
４００    高周波回路部品
５００    実装基板
５００ａ    主面
５００ｂ    端部側面
６００    ベースバンド信号処理回路（ＢＢＩＣ）
【図１】
2018230475.tif 000003
【図２】
2018230475.tif 000004
【図３Ａ】
2018230475.tif 000005
【図３Ｂ】
2018230475.tif 000006
【図４】
2018230475.tif 000007
【図５Ａ】
2018230475.tif 000008
【図５Ｂ】
2018230475.tif 000009
【図６Ａ】
2018230475.tif 000010
【図６Ｂ】
2018230475.tif 000011
【図７】
2018230475.tif 000012
【図８】
2018230475.tif 000013
【図９】
2018230475.tif 000014
【図１０】
2018230475.tif 000015
【図１１】
2018230475.tif 000016
【図１２Ａ】
2018230475.tif 000017
【図１２Ｂ】
2018230475.tif 000018
【図１３】
2018230475.tif 000019
【図１４】
2018230475.tif 000020
【手続補正書】
【提出日】令和1年10月9日(2019.10.9)
【手続補正１】
【補正対象書類名】明細書
【補正対象項目名】００３９
【補正方法】変更
【補正の内容】
【００３９】
図３Ａに示すように、第１パッチアンテナ１０ａは、第１平板部１００ａの上に配置された誘電体層１４と、誘電体層１４の上に配置された放射電極１１ａと、給電ビア導体１２ａおよび１３ａ（図示せず）とで構成されている。図４の中段に示すように、第１平板部１００ａには、高周波信号を伝搬するための伝送線路層が形成され、当該伝送線路層は、伝送線路９５と、グランドビア導体９２Ｇと、グランド電極層９０Ｇおよび９１Ｇと、誘電体層１６と、で構成されている。伝送線路９５は、給電ビア導体１２ａ（または１３ａ）と、高周波信号処理回路（図示せず）とを接続する線路である。グランドビア導体９２Ｇは、伝送線路層の上側に配置されたグランド電極層９０Ｇと伝送線路層の下側に配置されたグランド電極層９１Ｇとを接続する導体である。図４の下段に示すように、伝送線路９５は、複数のグランドビア導体９２Ｇ、グランド電極層９０Ｇおよび９１Ｇで囲まれている。この構造により、伝送線路９５は、高周波信号を低損失で伝搬することが可能となる。なお、誘電体層１４と誘電体層１６とは、同じ材料で構成されていてもよいし、また、異なる材料で構成されていてもよい。
【手続補正２】
【補正対象書類名】明細書
【補正対象項目名】００７４
【補正方法】変更
【補正の内容】
【００７４】
上記構成によれば、第２パッチアンテナ２５ａ〜２５ｄの第２方向の大きさＤｂが、第１パッチアンテナ１５ａ〜１５ｄの第１方向の大きさＤａよりも小さいので、第２平板部１００ｂの（第２方向の）幅を縮小できる。また、第２平板部１００ｂのパッチアンテナのサイズを小さくしたことにより低下するアンテナ性能を、第１平板部１００ａの境界線Ｂに近接する１列に配置された片側短絡型マイクロストリップアンテナ（第１パッチアンテナ１６ａ〜１６ｄ）で補助することが可能となる。これにより、薄型化が要求される携帯電話など（通信装置）の筐体の主面に第１平板部１００ａを平行配置し、当該筐体の側面に第２平板部１００ｂを平行配置することが可能となる。また、第１平板部１００ａと第２平板部１００ｂとが同一平面上に配置されていないので、複数の指向性を有するアンテナ特性を実現できる。よって、アンテナ放射および受信のカバレージなどのアンテナ特性を改善しつつ当該アンテナモジュールが配置される通信装置の薄型化に貢献することが可能となる。
【手続補正３】
【補正対象書類名】明細書
【補正対象項目名】００７５
【補正方法】変更
【補正の内容】
【００７５】
さらに、第１平板部１００ａに複数列のパッチアンテナを配置することで、列方向と直交する方向の指向性を高めることが可能となる。つまり、パッチアンテナの配置数を調整することで、アンテナの指向性を調整することが可能となる。
【手続補正４】
【補正対象書類名】明細書
【補正対象項目名】００７６
【補正方法】変更
【補正の内容】
【００７６】
なお、第１平板部１００ａのノーマルパッチアンテナおよび第２平板部１００ｂのノーマルパッチアンテナは、２列以上配置されてもよい。第２平板部１００ｂのノーマルパッチアンテナが２列以上配置されて場合には、第２平板部１００ｂの２列以上のノーマルパッチアンテナのうち、境界線Ｂから最も離れた１列に配置されたノーマルパッチアンテナの第２方向の大きさが、第１平板部１００ａのノーマルパッチアンテナの第１方向の大きさより小さければよい。これにより、第２平板部１００ｂの（第２方向の）幅を縮小できる。また、第２平板部１００ｂのパッチアンテナのサイズを小さくしたことにより低下するアンテナ性能を、第１平板部１００ａの境界線Ｂに近接する１列に配置された片側短絡型マイクロストリップアンテナ（第１パッチアンテナ１６ａ〜１６ｄ）で補助することが可能となる。これにより、薄型化が要求される携帯電話など（通信装置）の筐体の主面に第１平板部１００ａを平行配置し、当該筐体の側面に第２平板部１００ｂを平行配置することが可能となる。また、第１平板部１００ａと第２平板部１００ｂとが同一平面上に配置されていないので、複数の指向性を有するアンテナ特性を実現できる。よって、アンテナ放射および受信のカバレージなどのアンテナ特性を改善しつつ当該アンテナモジュールが配置される通信装置の薄型化に貢献することが可能となる。
【国際調査報告】
2018230475.tif 000021
2018230475.tif 000022
2018230475.tif 000023